(57)【要約】【課題】前後回転することにより圃場面近傍にある雑草等の狭雑物を地中に押込み処理する又は切断処理する複数の処理ディスクを備えた移植機において、圃場の状態等に応じて処理ディスクの左右方向の取付位置を適宜変更することが容易な移植機を提供することを課題とする。【解決手段】走行機体３の後部に植付作業機６を連結し、植付作業機６の前方に、前後回転することにより圃場を整地する整地ロータ１６を左右方向に複数並べて配置するとともに前後回転することにより圃場面近傍にある雑草等の狭雑物を地中に押込み処理する又は切断処理する複数の処理ディスク１７を設けた移植機において、整地ロータ１６と処理ディスク１７とを別体で形成し、各処理ディスク１７を左右方向の並列された整地ロータ１６の間に配置する。【選択図】図２
2009159919.tif 000002
【特許請求の範囲】
【請求項１】
走行機体（３）の後部に植付作業機（６）を連結し、植付作業機（６）の前方に、前後回転することにより圃場を整地する整地ロータ（１６）を左右方向に複数並べて配置するとともに前後回転することにより圃場面近傍にある雑草等の狭雑物を地中に押込み処理する又は切断処理する複数の処理ディスク（１７）を設けた移植機において、整地ロータ（１６）と処理ディスク（１７）とを別体で形成し、各処理ディスク（１７）を左右方向の並列された整地ロータ（１６）の間に配置した移植機。
【請求項２】
処理ディスク（１７）にボス部（３３）を一体的に形成し、該ボス部（３３）に整地ロータ（１６）を回転駆動させるロータ軸（１４）を挿通させ、隣接する整地ロータ（１６）の端部でボス部（３３）を挟持することにより、前記ロータ軸（１４）に対して処理ディスク（１７）を取付固定した請求項１の移植機。
【請求項３】
隣接する整地ロータ（１６）の端部で処理ディスク（１７）を挟持することにより、整地ロータ（１６）を回転駆動させるロータ軸（１４）に対して処理ディスク（１７）を取付固定した請求項１の移植機。
【発明の詳細な説明】
【技術分野】
【０００１】
この発明は、前後回転することにより圃場面近傍にある雑草等の狭雑物を地中に押込み処理する又は切断処理する複数の処理ディスクを備えた移植機に関する。
【背景技術】
【０００２】
走行機体の後部に植付作業機を連結し、植付作業機の前方に、前後回転することにより圃場を整地する整地ロータを左右方向に複数並べて配置した移植機が従来公知である。上記構成の移植機は、整地ロータにより整地された圃場に植付作業機によって苗を植付けることが可能である一方で、圃場面近傍に雑草等の狭雑物がある場合、整地ロータによっては狭雑物を処理できないため、植付作業機による作業効率が低下する可能性があるという欠点を有していた。
【０００３】
上記欠点を改善するため、植付作業機の前方に、整地ロータとともに、前後回転することにより圃場面近傍にある雑草等の狭雑物を地中に押込み処理する又は切断処理する複数の処理ディスクを設けた特許文献１に示す移植機が公知になっている。
【特許文献１】特許第３０８０５５３号公報
【発明の開示】
【発明が解決しようとする課題】
【０００４】
しかし、上記文献の移植機は、処理ディスクが整地ロータの外周面に一体的に設けられ、圃場状態等に応じて処理ディスクの左右方向の取付位置を変更する場合に、整地ロータの配置も併せて変更する必要があるため、汎用性の面で課題が残る。
本発明は、上記課題を解決し、前後回転することにより圃場面近傍にある雑草等の狭雑物を地中に押込み処理する又は切断処理する複数の処理ディスクを備えた移植機において、圃場の状態等に応じて処理ディスクの左右方向の取付位置を適宜変更することが容易な移植機を提供することを目的とする。
【課題を解決するための手段】
【０００５】
本発明の移植機は上記課題を解決するため、第１に走行機体３の後部に植付作業機６を連結し、植付作業機６の前方に、前後回転することにより圃場を整地する整地ロータ１６を左右方向に複数並べて配置するとともに前後回転することにより圃場面近傍にある雑草等の狭雑物を地中に押込み処理する又は切断処理する複数の処理ディスク１７を設けた移植機において、整地ロータ１６と処理ディスク１７とを別体で形成し、各処理ディスク１７を左右方向の並列された整地ロータ１６の間に配置したことを特徴としている。
【０００６】
第２に、処理ディスク１７にボス部３３を一体的に形成し、該ボス部３３に整地ロータ１６を回転駆動させるロータ軸１４を挿通させ、隣接する整地ロータ１６の端部でボス部３３を挟持することにより、前記ロータ軸１４に対して処理ディスク１７を取付固定したことを特徴としている。
【０００７】
第３に、隣接する整地ロータ１６の端部で処理ディスク１７を挟持することにより、整地ロータ１６を回転駆動させるロータ軸１４に対して処理ディスク１７を取付固定したことを特徴としている。
【発明の効果】
【０００８】
以上のように構成される本発明の移植機によれば、左右方向に並べられた複数の整地ロータの間に処理ディスクを配置するため、処理ディスクが整地ロータに一体的に取付けられているものと比較して、処理ディスクの左右方向の取付位置を圃場の状態等に応じて変更することが容易になり、汎用性が向上するという効果がある。
【０００９】
また、処理ディスクにボス部を一体的に形成し、該ボス部に整地ロータを回転駆動させるロータ軸を挿通させ、隣接する整地ロータの端部でボス部を挟持することにより、前記ロータ軸に対して処理ディスクを取付固定すれば、処理ディスクの左右方向の位置決めが容易になる他、ボス部が整地ロータ同士の間隔を設定する間隔設定部材を兼用できるという効果がある。
【００１０】
さらに、隣接する整地ロータの端部で処理ディスクを挟持することにより、整地ロータを回転駆動させるロータ軸に対して処理ディスクを取付固定すれば、整地ロータ間に隙間が形成されるのを防止できるという効果がある。
【発明を実施するための最良の形態】
【００１１】
図１は、本発明の移植機を適用した乗用田植機の全体側面図である。図２は、整地ロータと、処理ディスクと、フロートと、植付作業機による植付箇所と、施肥ノズルによる施肥箇所との配置を示す要部平面図である。乗用田植機は、前後輪１，２を備えた走行機体３の後方に苗載せ台４を有する植付作業機６が昇降リンク７を介して昇降自在に連結され、植付作業機６の下部前方には左右方向の整地装置８が前後回転自在に支持されている。
【００１２】
植付作業機６の下部には、苗載せ台４から苗を掻き取って圃場に植付ける植付部９と、圃場を均す前後方向のフロート１１と、後方に延設された施肥ノズル１２（施肥部）とが、それぞれ左右に並べられて複数設置されている。図示する例では、３つのフロート１１，１１，１１が左右方向に並べて設けられ、各フロート１１の左右に施肥ノズル１２がそれぞれ設置され、各施肥ノズル１２の後方斜め上方に植付部９が配置されている。
【００１３】
そして、本乗用田植機は、植付部９により圃場に苗を植付けると同時に、圃場の地中に挿入された施肥ノズル１２により圃場の苗の条列方向に沿って肥料を施肥していく。この際、圃場には、施肥ノズル１２により前後方向に延びる帯状の施肥箇所Ｌ（圃場における肥料が施肥された箇所）が形成されるとともに、植付部９により施肥箇所Ｌに隣接して植付箇所Ｐ（圃場における苗が植付けられた箇所）が形成される。
【００１４】
上記昇降リンク７には、左右方向に延びる角柱状（図示する例では四角柱状）の横フレーム１３がローリング自在に連結されている。この横フレーム１３からは後方に向かって前述の植付部９が延設されている他、横フレーム１３の左右各端部からは上下方向の縦フレーム１０，１０が上方に向かって突設されている。左右の縦フレーム１０，１０間には、左右方向の支持軸（図示しない）が前後回動自在に架設されている。
【００１５】
整地装置８は、主に、上記支持軸に前後回転自在に吊り下げ支持された左右方向のロータ軸１４と、ロータ軸１４に軸装されロータ軸１４と一体回転する複数の整地ロータ１６（整地体）とから構成される。くわえて、左右方向に並べられた整地ロータ１６の間には、平面視前後方向に延びる直線状をなすように姿勢が定められた処理ディスク１７（処理体）が設置されている。処理ディスク１７の配置及び固定手段等については後述する。
【００１６】
そして、上記整地装置８を圃場面に接地させて前後回転させることにより、圃場における機体旋回等により荒れた代掻き後の枕地等の整地を行い、この整地された圃場に植付作業機６により苗を植付けていく。処理ディスク１７は、前後回転させることにより圃場面近傍にある雑草等の狭雑物を地中に押込み処理する又は切断処理するように構成されており、圃場内の狭雑物が、圃場に挿入された施肥ノズル１２に絡み付いたり、苗を圃場に植付ける際に邪魔になったりすることによる施肥作業効率又は植付作業効率の低下を防止している。
【００１７】
ロータ軸１４の支持軸への吊り下げ構造について説明すると、支持軸の左右の各端部には支持軸とともに一体回動する支持アーム１８の基端部が一体的に取付固定され、左右の各アーム１８の先端部にはリンク機構１９を介して上下方向の支持ロッド２１の上端部が連結されており、この左右の支持ロッド２１，２１の下端部間にロータ軸１４が前後回転自在に架設支持されている。このため、支持軸を前後回動させることによって、整地装置８を植付作業機６に対して昇降させることができる。
【００１８】
ロータ軸１４への動力伝動機構について説明すると、ロータ軸１４の中間部分にはギヤケース２２が設けられる一方、走行機体３の後端部下側にはロータ軸１４駆動用の駆動ケース２３が設けられている。そして、駆動ケース２３は、ユニバーサルジョイント２４及び駆動軸２６を介して、ギヤケース２２に連結されている。そして、駆動ケース２３内に設けられたクラッチ（図示しない）を入切することにより、駆動ケース２３からギヤケース２２への動力伝動の入切をして、ロータ軸１４が前後回動駆動の入切操作を行う。
【００１９】
なお、機体前進時に植付作業機６によって植付作業を行う際、整地装置８の整地ロータ１６は、前後の車輪１，２と同一方向（図１における反時計回り方向，正転方向）に回転駆動される。
【００２０】
図３（Ａ）は整地ロータの斜視図であり、（Ｂ）は整地ロータの正面図であり、（Ｃ）は整地ロータの側面図である。整地ロータ１６は、本体部２７が側面視多角形状（図示する例では六角形状）の板状部材であり、本体部２７の側面の中心部からは円柱状のボス部２８が左右両方向にそれぞれ突出形成されており、本体部２７の各頂点部からは整地ロータ１６の正転方向と逆方向に突出する左右方向の整地片２９が一体的に成形されている。
【００２１】
ボス部２８には、ロータ軸１４を挿通させる左右方向の軸孔３１が穿設されている。ロータ軸１４の整地ロータ１２を挿通させる部分は多角（図示する例では四角）柱状に形成される一方、上記軸孔３１もそれに対応して側面視多角形状（図示する例ではロータ軸１４の断面形状に対応させて四角形状）に形成されているため、整地ロータ１６は、ロータ軸１４に挿通させるのみで、ロータ軸１４と一体回転するように構成される。なお、整地ロータ１６は、ボルト（図示しない）等によって、左右スライド移動しないように、ロータ軸１４に対して取付固定される。
【００２２】
整地片２９の正転方向と反対側の端部に波状の歯部２９ａが成形されている。そして、本体部２７からの左右方向の突出量がボス部２８と略同一になっている。
【００２３】
なお、通常、図４に示すように、上記整地ロータ１６は、互いのボス部２８及び整地片２９同士が当接するように左右方向に複数並べられた状態で、ロータ軸１４に挿通固定されるが、図２に示す本乗用田植機では、整地ロータ１６とは別体で形成された前述の処理ディスク１７が、左右方向に並列された整地ロータ１６の間に設置され、これによって、上記整地装置８を構成している。くわえて、整地片２９同士の左右端部同士を当接させるため、整地片２９の位相がずれないように（互いに隣接する整地片２９同士が左右方向に一直線状に配置された状態になるように）複数の整地ロータ１６をロータ軸１４に挿通固定させる。
【００２４】
図５は、（Ａ）は処理ディスクの斜視図であり、（Ｂ）は処理ディスクの正面図であり、（Ｃ）は処理ディスクの側面図である。処理ディスク１７は縁部に波状の歯部１７ａが満遍なく等間隔に形成され、側面の中心には上記ロータ軸１４を挿通させる多角形状（図示する例ではロータ軸１４の断面形状に対応させて四角形状）の軸孔３２が穿設されている。
【００２５】
図６は、整地装置の斜視図である。処理ディスク１７は、軸孔３２を介して、左右方向の並べられた整地ロータ１６に挟まれた状態で、ロータ軸１４に挿通支持される。この際、左右の整地ロータ１６のボス部２８が、処理ディスク１７の左右側面に当接し、処理ディスク１７のロータ軸１４に対しての左右位置が固定される。すなわち、隣接する整地ロータ１６，１６の端部であるボス部２８，２８によって処理ディスク１７を挟持することにより、ロータ軸１４に処理ディスク１７を取付固定する。
【００２６】
くわえて、前述したように、整地片２９の本体部２７からの左右突出量はボス部２９のそれと略同一であるため、左右に隣接する整地片２９，２９間の隙間には、処理ディスク１７が配置され、隣接する整地ロータ１６，１６の間に隙間が生じることを防止している。
【００２７】
そして、前述した動力伝動機構を介してロータ軸１４を回転駆動させることにより、整地ロータ１６及び処理ディスク１７を前後回転させる。処理ディスク１７は、圃場における施肥箇所Ｌ及び植付箇所Ｐとなる予定の箇所を予め処理するように、整地ロータ１４によってロータ軸１４に対する左右取付位置が定められている。このため、施肥ノズル１２による施肥作業や、植付作業機６による植付作業時には、圃場面近傍にある雑草等の狭雑物が、処理ディスク１７によって地中に押込み処理又は切断処理され、効率の良い作業を行うことができる。
【００２８】
ちなみに、図２に示すように、上記整地装置８は４箇所に設けられ、１つが左側の支持ロッド２１の外側（左側）に設けられた第１整地装置８Ａ（外側整地装置）になり、１つが左側の支持ロッド１９とギヤケース２２との間に設けられた第２整地装置８Ｂ（内側整地装置）になり、１つがギヤケース２２と右側の支持ロッド２１との間に設けられた第３整地装置８Ｃ（内側整地装置）になり、１つが右側の支持ロッド２１の外側（右側）に設けられた第４整地装置８Ｄ（外側整地装置）となる。
【００２９】
また、図示する例では、第１整地装置８Ａが３つの整地ロータ１６と２つの処理ディスク１７により構成され、第２整地装置８Ｂが７つの整地ロータ１６と４つの処理ディスク１７により構成され、第３整地装置８Ｃが６つの整地ロータ１６と４つの処理ディスク１７により構成され、第４整地装置８Ｄが３つの整地ロータ１６と２つの処理ディスク１７により構成されている。ちなみに、第２整地装置８Ｂは最中央に配置された３つの整地ロータ１６，１６，１６により形成される２つの整地ロータ１６の間箇所には、処理ディスク１７が配置されていない他、第３整地装置８Ｃは最中央に配置された２つの整地ロータ１６，１６の間箇所には、処理ディスク１７が配置されていない。
【００３０】
次に、図７，８及び９に基づいて、本発明の移植機を適用した乗用田植機の別実施形態について説明する。なお、以下に記載しない部分については、図１〜６に示す乗用田植機と同一構成であるものとする。
図７は、本発明の別実施形態を示す整地ロータ、処理ディスク及びフロートの要部平面図である。本乗用田植機では、左右方向に並列されたそれぞれの整地ロータ１６，１６間の全てに処理ディスク１７が配置されている。
【００３１】
図８（Ａ）は処理ディスクの斜視図であり、（Ｂ）は処理ディスクの正面図であり、（Ｃ）は処理ディスクの側面図である。処理ディスク１７の左右の各側面における中心には左右方向に突出するボス部３３が一体的に突設されている。このボス部３３には、ロータ軸１４を挿通させる側面視多角形状（図示する例では、ロータ軸１４の断面形状に対応させて四角形状）の左右方向の軸孔３２が穿設されている。
【００３２】
図９は、整地装置の斜視図である。処理ディスク１７は、軸孔３２を介して、左右方向の並べられた整地ロータ１６，１６に挟まれた状態で、ロータ軸１４に挿通支持される。この際、左右の整地ロータ１６，１６のボス部２８先端部が、処理ディスク１７のボス部３３の先端部に当接し、処理ディスク１７のロータ軸１４に対しての左右位置が固定される。すなわち、隣接する左右の整地ロータ１６，１６の端部である２つのボス部２８，２８の先端部によって処理ディスク１７のボス部３３を挟持することにより、ロータ軸１４に処理ディスク１７を取付固定する。
【００３３】
そして、処理ディスク１７のボス部３３の左右突出量分だけ整地ロータ１６の間に隙間が形成される。すなわち、処理ディスク１７のボス部３３が整地ロータ１６同士の間隔を設定する間隔設定部材になり、処理ディスク１７のボス部３３の左右突出量を変更することにより、整地ロータ１６間の距離を所望の距離に変更できる。くわえて、ボス部３３により、処理ディスク１７をより安定した姿勢で、ロータ軸１４に挿通支持されることが可能になる。
【図面の簡単な説明】
【００３４】
【図１】本発明の移植機を適用した乗用田植機の全体側面図である。
【図２】整地ロータと、処理ディスクと、フロートと、植付作業機による植付箇所と、施肥ノズルによる施肥箇所との配置を示す要部平面図である。
【図３】（Ａ）は整地ロータの斜視図であり、（Ｂ）は整地ロータの正面図であり、（Ｃ）は整地ロータの側面図である。
【図４】通常の整地ロータの取付構造を示す要部平面図である。
【図５】（Ａ）は処理ディスクの斜視図であり、（Ｂ）は処理ディスクの正面図であり、（Ｃ）は処理ディスクの側面図である。
【図６】整地装置の斜視図である。
【図７】本発明の別実施形態を示す整地ロータ、処理ディスク及びフロートの要部平面図である。
【図８】（Ａ）は処理ディスクの斜視図であり、（Ｂ）は処理ディスクの正面図であり、（Ｃ）は処理ディスクの側面図である。
【図９】整地装置の斜視図である。
【符号の説明】
【００３５】
３  走行機体
６  植付作業機
１４  ロータ軸
１６  整地ロータ（整地体）
１７  処理ディスク（処理体）
３３  ボス部
【図１】
2009159919.tif 000003
【図２】
2009159919.tif 000004
【図３】
2009159919.tif 000005
【図４】
2009159919.tif 000006
【図５】
2009159919.tif 000007
【図６】
2009159919.tif 000008
【図７】
2009159919.tif 000009
【図８】
2009159919.tif 000010
【図９】
2009159919.tif 000011